(57)【要約】【課題】可視波長域の光によるエネルギー入射を抑えると同時に反射光による眩しさを抑制することができる遮熱体及びその形成方法を提供する。【解決手段】遮熱体（１Ａ、１Ｂ、１Ｃ、１Ｄ）が、基体（４０）の表面に設けられて入射光を受ける開放面（１１、１１Ａ）を有する遮熱層（１０、１０Ａ）と、遮熱層（１０、１０Ａ）に設けられて少なくとも前記入射光のうちの可視光線波長域の入射光を遮熱層（１０、１０Ａ）の開放面（１１、１１Ａ）の開放側に収束するように拡散反射する反射材（２１、６０、６０Ａ、６０Ｂ、６０Ｃ、６０Ｄ）とを備える。【選択図】図２
2015155636.tif 000002
【特許請求の範囲】
【請求項１】
基体の表面に設けられ、入射光を受ける開放面を有する遮熱層と、
前記遮熱層に設けられ、少なくとも前記入射光のうちの可視光線波長域の入射光を前記遮熱層の前記開放面の開放側に収束するように拡散反射する反射材と、
を備えた遮熱体。
【請求項２】
前記反射材は、前記入射光のうちの可視光線波長域の入射光を前記開放面から前記開放側に離間した位置で交差するように拡散反射する
請求項１に記載の遮熱体。
【請求項３】
前記反射材は、前記開放側を向く厚さ方向断面が円弧形である複数の凹部を含む
請求項１又は２に記載の遮熱体。
【請求項４】
前記複数の凹部のそれぞれは、特定方向からの入射光のうちの可視光線波長域の入射光を１つの焦点で交差するように反射する
請求項３に記載の遮熱体。
【請求項５】
前記複数の凹部のそれぞれは、断面円弧形状を有し、前記入射光のうちの可視光線波長域の入射光を拡散反射する
請求項３又は４に記載の遮熱体。
【請求項６】
前記反射材は、前記遮熱層の前記開放側の表層部に設けられ、
前記複数の凹部の内部を埋め、前記入射光のうちの可視光線波長域の入射光を前記複数の凹部の表面まで通過させる充填部をさらに備えた
請求項３乃至５のいずれかに記載の遮熱体。
【請求項７】
前記反射材は、前記遮熱層内に散在する
請求項１乃至５のいずれかに記載の遮熱体。
【請求項８】
前記反射材は、それぞれが前記複数の凹部の少なくとも１つを有する複数の球体、複数の細片体、又は複数の円柱体を備えた
請求項１乃至５及び７のいずれかに記載の遮熱体。
【請求項９】
前記反射材は、それぞれが前記複数の凹部の１つを有する複数の扁平状の球体を備え、
前記１つの凹部は、前記扁平状の球体の扁平曲面の一方側の内面に設けられた
請求項１乃至５及び７のいずれかに記載の遮熱体。
【請求項１０】
前記反射材は、
前記遮熱層内に散在する複数の反射体と、
前記複数の反射体と前記基体との間に設けられた反射シートと、
を備えた
請求項１乃至３のいずれかに記載の遮熱体。
【請求項１１】
前記可視光線波長域は、３００ｎｍ〜７８０ｎｍの範囲である
請求項１乃至１０のいずれかに記載の遮熱体。
【請求項１２】
前記反射材は、少なくとも前記入射光のうちの可視光線波長域の入射光を３０％以上の日射反射率で拡散反射する
請求項１乃至１１のいずれかに記載の遮熱体。
【請求項１３】
請求項１乃至５、７乃至９、及び１１、１２のいずれかに記載の遮熱体の形成方法であって、
前記基体の表面に前記遮熱層を設ける際に、前記遮熱層内に前記反射材をばらまく
遮熱体の形成方法。
【発明の詳細な説明】
【技術分野】
【０００１】
本発明は、入射光の可視光を反射面から所定の距離で収束させる光収束機能を備えた遮熱体及びその形成方法に関する。
【背景技術】
【０００２】
特許文献１には、舗装体の表面に塗付して固体表層部を形成し得るバインダーに可視光線波長域で吸収を示し赤外線波長域では反射を示す顔料を含有させた塗付組成物を舗装体の表面に塗付し、次いで当該バインダーを固化させて構築した太陽熱遮断性舗装体が記載されている。この太陽熱遮断性舗装体は、アスファルト舗装体、コンクリート舗装体、インターロッキングブロック舗装体等の人や車両の通行に供する舗装体の表層部に対して設けられ、太陽光の日射等の赤外線波長域の光を反射して舗装路面へのエネルギー入射量を効果的に抑制し、路面温度の上昇を抑制する。
【先行技術文献】
【特許文献】
【０００３】
【特許文献１】特開２００８−６９６３２号公報
【発明の概要】
【０００４】
ところで、太陽光の日射等の可視光線波長域の光によるエネルギー入射も路面温度上昇の原因となる。上述した舗装体は、太陽光の日射のうち赤外線波長域の光は高い日射反射率で反射しているが、可視光線波長域の光の大部分は吸収している。そのため、上述した舗装体では、可視光線波長域の光によるエネルギー入射の分だけ路面温度の上昇抑制効果が抑えられてしまう。
【０００５】
一方、可視光線波長域の光を反射することは、反射光が人間等の目に進入して眩しさをもたらす原因になる可能性がある。例えば、この反射光が車両を運転する人間にとって非常に眩しく運転の妨げになるものであれば問題となる。
【０００６】
本発明は、赤外線波長域の光によるエネルギー入射だけでなく可視光線波長域の光によるエネルギー入射をも抑えると同時に可視光線波長域の光の反射光による眩しさを抑制することができる遮熱体及び施工が容易なその形成方法を提供することを目的とする。
【０００７】
本発明の実施形態に係る遮熱体は、基体の表面に設けられて入射光を受ける開放面を有する遮熱層と、前記遮熱層に設けられて少なくとも前記入射光のうちの可視光線波長域の入射光を前記遮熱層の前記開放面の開放側に収束するように拡散反射する反射材とを備える。
【０００８】
上記構成によれば、赤外線波長域の入射光によるエネルギー入射だけでなく可視波長域の入射光によるエネルギー入射をも抑えることができる。このため、より高い遮熱を実現でき、路面温度の上昇抑制効果が高く、ヒートアイランド現象を効果的に抑制することができる。また、可視光線波長域の入射光の反射光による眩しさを低減、抑制することができる。このため、眩しさが好まれない環境、例えば、車道であっても上記遮熱体を問題なく設けることができる。
【０００９】
また、本発明の実施形態に係る上記遮熱体の形成方法は、前記基体の表面に前記遮熱層を設ける際に前記遮熱層内に前記反射材をばらまくことを備える。
【００１０】
上記構成によれば、形成が容易で形成時間も短期とすることができ、またコストも削減することができる。
【図面の簡単な説明】
【００１１】
【図１】本発明の第１実施形態に係る遮熱体の上面図である。
【図２】図１のＩＩ‐ＩＩ線に沿った断面図である。
【図３】図２の１つの凹部を拡大して開放面に対して９０°の入射角を有する入射光の反射の様子を説明するための断面図である。
【図４】図２の１つの凹部を拡大して開放面に対して３０°の入射角を有する入射光の反射の様子を説明するための断面図である。
【図５】図２の１つの凹部を拡大して開放面に対して４５°の入射角を有する入射光の反射の様子を説明するための断面図である。
【図６】第１実施形態の変形例に係る遮熱体の図２相当の断面図である。
【図７】本発明の第２実施形態に係る遮熱体の上面図である。
【図８】図７のＶＩＩＩ‐ＶＩＩＩ線に沿った断面図である。
【図９】第２実施形態に係る遮熱体が備える反射材の斜視図である。
【図１０】第２実施形態の変形例に係る遮熱体の図８相当の断面図である。
【図１１Ａ】第２実施形態に係る遮熱体が備える反射材の他の第１例の斜視図である。
【図１１Ｂ】第２実施形態に係る遮熱体が備える反射材の他の第１例の上面図である。
【図１１Ｃ】第２実施形態に係る遮熱体が備える反射材の他の第１例の側面図である。
【図１１Ｄ】図１１ＣのＸＩＤ−ＸＩＤ線に沿った断面図である。
【図１２Ａ】第２実施形態に係る遮熱体が備える反射材の他の第２例の斜視図である。
【図１２Ｂ】第２実施形態に係る遮熱体が備える反射材の他の第２例の上面図である。
【図１２Ｃ】第２実施形態に係る遮熱体が備える反射材の他の第２例の側面図である。
【図１２Ｄ】図１２ＣのＸＩＩＤ−ＸＩＩＤ線に沿った断面図である。
【図１３Ａ】第２実施形態に係る遮熱体が備える反射材の他の第３例の斜視図である。
【図１３Ｂ】第２実施形態に係る遮熱体が備える反射材の他の第３例の上面図である。
【図１３Ｃ】第２実施形態に係る遮熱体が備える反射材の他の第３例の側面図である。
【図１３Ｄ】図１３ＣのＸＩＩＩＤ−ＸＩＩＩＤ線に沿った断面図である。
【図１４Ａ】第２実施形態に係る遮熱体が備える反射材の他の第４例の斜視図である。
【図１４Ｂ】反射材の他の第４例の図１３相当の断面図である。
【図１４Ｃ】反射材の他の第４例を備える遮熱体の図８相当の断面図である。
【図１５】第２実施形態に係る遮熱体が備える反射材の他の第５例の側面図である。
【図１６】第２実施形態に係る遮熱体が備える反射材の他の第６例の側面図である。
【発明を実施するための形態】
【００１２】
以下において、本発明の実施形態に係る遮熱体について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１３】
まず、第１実施形態に係る遮熱体１Ａについて、図面を参照しながら説明する。図１は、第１実施形態に係る遮熱体１Ａの上面図である。図２は、図１のＩＩ‐ＩＩ線に沿った断面図である。
【００１４】
図２に示すように、遮熱体１Ａは、バインダ３０を介して基体４０に固着される。遮熱体１Ａは、第１の層（遮熱層）１０と、第１の層１０の表層部１２に形成された第２の層（反射材層）２０とを備える。第１の層１０は、基体４０の表面にバインダ３０を介して固着され、太陽光である日射の入射光Ｌ１ａ、Ｌ２ａを受ける開放面１１を有し、少なくとも入射光Ｌ１ａ、Ｌ２ａのうちの赤外線波長域の入射光Ｌ１ａを第１の日射反射率で開放面１１の開放側（図２の上側）に反射する。第２の層２０は、少なくとも入射光Ｌ１ａ、Ｌ２ａのうちの可視光線波長域の入射光Ｌ２ａを第２の日射反射率で第１の層１０の開放面１１の開放側に収束（収斂）するように拡散反射する。特に限定しないが、赤外線波長域（近赤外線波長域も含む）は、例えば７８０ｎｍ〜２５００ｎｍの範囲であり、可視光線波長域（近紫外線波長域も含む）は、例えば３００ｎｍ〜７８０ｎｍの範囲である。
【００１５】
日射反射率は、例えば、特開２００８−６９６３２号公報に記載の日射反射率を用いることができる。但し、本願では、入射光Ｌ１ａ、Ｌ２ａのエネルギーが遮熱体１Ａに吸収される割合を示すためのものとして日射反射率という用語を使用している。
【００１６】
バインダ３０は、遮熱体１Ａと基体４０とを所望の結合力で固着させるものであり、遮熱体１Ａ及び基体４０の材料や必要な耐久性等に応じて適宜公知のものから選択して使用することができる。例えば、バインダ３０は、下地である基体４０がアスファルト舗装体であれば、ある程度の弾性を有し、骨材を接着維持できる強靭性、対候性、乾燥性に優れたものが使用される。
【００１７】
基体４０は、例えば、日射が当るアスファルト舗装体、コンクリート舗装体、インターロッキング舗装体等の人や車両が通行する舗装体や、建造物の壁面、屋根等である。
【００１８】
図２では、バインダ３０と遮熱体１Ａとの間の結合面、基体４０と遮熱体１Ａとの結合面が直線で示されているが、これに限定されない。例えば、基体４０がアスファルト舗装体であれば、基体４０と遮熱体１Ａとの結合面は凹凸を有するものとなり、バインダ３０と遮熱体１Ａとの間の結合面も通常は凹凸を有するものとなる。また、バインダ３０が遮熱体１Ａ内に入り込んでいても良い。
【００１９】
次に、遮熱体１Ａについてより詳細に説明する。遮熱体１Ａの第１の層１０は、日射の入射光Ｌ１ａ、Ｌ２ａを開放面１１で受けて、主に入射光Ｌ１ａ、Ｌ２ａのうちの赤外線波長域の入射光Ｌ１ａを第１の日射反射率で開放面１１の開放側（図２の上側）に反射する。これにより、赤外線波長域の入射光Ｌ１ａによる熱エネルギーの一部が第１の層１０（遮熱体１Ａ）で吸収されずに大気中に放射される。つまり、第１の層１０において、第１の日射反射率に応じた量の熱エネルギーが遮熱体１Ａに蓄積されずに大気中に反射される。なお、第１の層１０で入射光Ｌ１ａ、Ｌ２ａのうちの可視光線波長域の入射光Ｌ２ａも任意の日射反射率で反射するようにしてもよい。
【００２０】
第１の層１０は、公知の赤外線遮熱材を使用することができ、例えば、特開２００８−６９６３２号公報に記載の顔料を用いることができる。例えば、第１の層１０は、高い日射反射率（第１の日射反射率）で赤外線を反射する熱反射性特殊顔料と、再帰性反射をする中空セラミック微小球体とを備えるものでもよい。また、第１の日射反射率も任意に設定可能であるが、第１の日射反射率が高い方が赤外線波長域の入射光Ｌ１ａによる熱エネルギーの蓄積がより抑制される。
【００２１】
図１及び２に示すように、第２の層２０は、反射材２１として第１の層１０の表層部１２に面方向に形成された複数の凹部（以下、付番２１を付す）を備える。複数の凹部２１はそれぞれ、上面視で円形状を有し、開放面１１の開放側を向く厚さ方向（図２の上下方向）断面が円弧形の凹部表面（拡散反射面）２３を有する。凹部表面２３は、日射の入射光Ｌ１ａ、Ｌ２ａを受け、赤外線波長域の入射光Ｌ１ａを任意の日射反射率で開放側に反射し、可視光線波長域の入射光Ｌ２ａを第２の日射反射率で開放面１１から開放側に収束するように拡散反射する。このとき、凹部表面２３は、可視光線波長域の反射光Ｌ２ｂが所定の離間した位置の範囲内で交差するように可視光線波長域の入射光Ｌ２ａを拡散反射する。所定の離間した位置の範囲は、任意に設定可能である。例えば、所定の離間した位置の範囲（後述の開放面１１から最大交点距離ＭＦＤだけ離れた位置の範囲）は、人間の目の高さを含まないように設定され、特に限定されないが、例えば、人間の目から離れた位置となる開放面１１から１ｃｍ以内〜３０ｃｍ以内の高さの範囲とすることができる。所定の離間した位置の範囲は、可能な限り低い位置範囲とすることが考えられるが、開放面１１に非常に近い数ミリ単位の位置範囲であると開放面１１上に熱の層が形成されて熱がこもってしまう可能性があることも考慮する。
【００２２】
複数の凹部２１における赤外線波長域の入射光Ｌ１ａの任意の日射反射率は、適宜設定可能であるが、高い方が赤外線波長域の入射光Ｌ１ａによる熱エネルギーの蓄積がより抑制される。
【００２３】
凹部表面２３（各凹部２１）の厚さ方向断面の円弧形は、可視光線波長域の反射光Ｌ２ｂが所定の離間した位置の範囲内で交差するように可視光線波長域の入射光Ｌ２ａを拡散反射するような形状に設定される。凹部表面２３の断面円弧形は、例えば、放物線状である。凹部表面２３には、光を反射させるための処理がなされている。例えば、凹部表面２３には、反射材が固着或いは反射剤がコーティングされている。
【００２４】
上記構成を備えた第２の層２０では、赤外線波長域の入射光Ｌ１ａによる熱エネルギーの一部が第２の層２０（遮熱体１Ａ）で吸収されずに大気中に放射される。つまり、第２の層２０において、任意の日射反射率に応じた量の熱エネルギーが遮熱体１Ａに蓄積されずに大気中に反射される。同時に、上記構成を備えた第２の層２０では、可視光線波長域の入射光Ｌ２ａによる熱エネルギーの一部も第２の層２０（遮熱体１Ａ）で吸収されずに大気中に拡散反射で放射される。つまり、第２の層２０において、第２の日射反射率に応じた量の熱エネルギーが遮熱体１Ａに蓄積されずに大気中に反射される。第２の日射反射率は、例えば、３０％以上であるが、遮熱体１Ａに要求される性能等により任意に設定することができる。そして、第２の日射反射率が高い方が可視光線波長域の入射光Ｌ２ａによる熱エネルギーの蓄積がより抑制される。
【００２５】
図３〜５を用いて、第２の層２０での日射の可視光線波長域の入射光Ｌ２ａの反射の様子を説明する。図３は、図２の１つの凹部２１を拡大して開放面１１に対して９０°の入射角を有する入射光Ｌ１ａ、Ｌ２ａの反射の様子を説明するための断面図である。図４は、図２の１つの凹部２１を拡大して開放面１１に対して３０°の入射角を有する入射光Ｌ１ａ、Ｌ２ａの反射の様子を説明するための断面図である。図５は、図２の１つの凹部２１を拡大して開放面１１に対して４５°の入射角を有する入射光Ｌ１ａ、Ｌ２ａの反射の様子を説明するための断面図である。図３〜５に示すように、凹部２１は、深さ（凹部の深さ）Ｄ、直径（凹部の直径）Ｗを有し、球の一部を切り取った形状となっている。なお、遮熱体１Ａに対する日射の入射光Ｌ１ａ、Ｌ２ａの入射角度は、遮熱体１Ａを設ける場所の緯度等から求めた実際の日射の入射角度と遮熱体１Ａの開放面１１の向く方向とで決まる。
【００２６】
図３では、可視光線波長域の入射光Ｌ２ａが、第１の層１０の開放面１１に対して９０°の方向（特定方向）から凹部２１の凹部表面２３に入射している。凹部表面２３に入射した可視光線波長域の入射光Ｌ２ａは、可視光線波長域の反射光Ｌ２ｂとして開放面１１の開放側に反射している。このとき、可視光線波長域の反射光Ｌ２ｂは、開放面１１から焦点距離ＦＤだけ離れた位置の１つの焦点Ｐ１で交差する。そして、可視光線波長域の反射光Ｌ２ｂは、１つの焦点Ｐ１で交差した後、分散する。なお、本実施形態では、凹部表面２３の断面円弧形状を、開放面１１に対し９０°の方向から可視光線波長域の入射光Ｌ２ａが入射した場合に可視光線波長域の反射光Ｌ２ｂが１つの焦点Ｐ１で交差するようなものとしたが、これに限定されない。
【００２７】
図４では、可視光線波長域の入射光Ｌ２ａが、第１の層１０の開放面１１に対して３０°の方向から凹部２１の凹部表面２３に入射している。凹部表面２３に入射した可視光線波長域の入射光Ｌ２ａは、可視光線波長域の反射光Ｌ２ｂとして開放面１１の開放側に反射している。このとき、可視光線波長域の反射光Ｌ２ｂは、開放面１１から最大交点距離ＭＦＤだけ離れた位置以内で複数の交点Ｐ２で交差する。つまり、可視光線波長域の反射光Ｌ２ｂは、開放面１１から最大交点距離ＭＦＤだけ離れた位置以内で収束している。そして、可視光線波長域の反射光Ｌ２ｂは、複数の交点Ｐ２で交差した後、分散する。
【００２８】
図５では、可視光線波長域の入射光Ｌ２ａが、第１の層１０の開放面１１に対して４５°の方向から凹部２１の凹部表面２３に入射している。凹部表面２３に入射した可視光線波長域の入射光Ｌ２ａは、可視光線波長域の反射光Ｌ２ｂとして開放面１１の開放側に反射している。このとき、可視光線波長域の反射光Ｌ２ｂは、開放面１１から最大交点距離ＭＦＤだけ離れた位置以内で複数の交点Ｐ２で交差する。つまり、可視光線波長域の反射光Ｌ２ｂは、開放面１１から最大交点距離ＭＦＤだけ離れた位置以内で収束している。そして、可視光線波長域の反射光Ｌ２ｂは、複数の交点Ｐ２で交差した後、分散する。
【００２９】
第１実施形態では、可視光線波長域の入射光Ｌ２ａによる熱エネルギーの一部も第２の層２０（遮熱体１Ａ）で吸収されずに大気中に拡散反射で放射される。これにより、赤外線波長域の入射光Ｌ１ａによるエネルギー入射による熱吸収、熱蓄積だけでなく、可視光線波長域の入射光Ｌ２ａによるエネルギー入射による熱吸収、熱蓄積をも抑えることができる。例えば、赤外線波長域の入射光Ｌ１ａによる熱吸収、熱蓄積を抑えることで、昼１０℃、夜２℃の路面温度を下げる効果がある場合、第１実施形態に係る遮熱体１Ａは、可視光線波長域の入射光Ｌ２ａによるエネルギー入射による熱吸収、熱蓄積をも抑えるので、昼夜の路面温度をさらに下げる効果がある。このため、基体４０に対するより高い遮熱を実現でき、基体４０の温度上昇の抑制効果が高く、ヒートアイランド現象を効果的に抑制することができる。
【００３０】
また、第１実施形態では、可視光線波長域の入射光Ｌ２ａを開放面１１の開放側へ反射させる際、凹部表面２３で分散反射させ、開放面１１から最大交点距離ＭＦＤだけ離れた位置以内で収束させて、その後分散させている。このため、眩しさの原因となる恐れのある可視光線波長域の入射光Ｌ２ａを高い日射反射率（第２の日射反射率）で反射させても、その反射光Ｌ２ｂが人間の目に眩しくないように反射される。これにより、遮熱体１Ａへのエネルギーの吸収、蓄積を抑えるために可視光線波長域の入射光Ｌ２ａを高い日射反射率（第２の日射反射率）で反射させても、反射光Ｌ２ｂによる眩しさを大幅に低減、抑制することができる。このため、眩しさが好まれない環境（例えば、基体４０が車道）であっても遮熱体１Ａを問題なく設けることができる。なお、すべての反射光を開放面１１から最大交点距離ＭＦＤだけ離れた位置以内で収束することに限定されず、大方の反射光を当該位置以内で収束するようにしても良く、この場合でも上記効果を奏することができる。
【００３１】
上記のように、第１実施形態によれば、赤外線波長域の入射光Ｌ１ａによるエネルギー入射だけでなく可視光線波長域の入射光Ｌ２ａによるエネルギー入射をも抑えると同時に可視光線波長域の入射光Ｌ２ａの反射光Ｌ２ｂによる眩しさを抑制することができる。
【００３２】
次に、第１実施形態の変形例に係る遮熱体１Ｂについて、図面を参照しながら説明する。図６は、第１実施形態の変形例に係る遮熱体１Ｂの図２相当の断面図である。なお、上述した第１実施形態に係る遮熱体１Ａと同一部分には同一の符号を付して、相違する部分を主として説明する。
【００３３】
第１実施形態の変形例に係る遮熱体１Ｂは、更に充填部５０を設けた点のみ第１実施形態に係る遮熱体１Ａと異なる。充填部５０は、上面が開放面１１と略同一面上となるように凹部２１の内部を埋め、日射の入射光Ｌ１ａ、Ｌ２ａのうちの可視光線波長域の入射光Ｌ２ａの一部或いは全部を凹部表面２３まで通過させる。日射の入射光Ｌ１ａ、Ｌ２ａのうちの赤外線波長域の入射光Ｌ１ａは、凹部表面２３で反射させても、充填部５０で反射させても、或いは、これらの両方で反射させても良い。
【００３４】
第１実施形態の変形例では、上記第１実施形態と同様の効果を奏することができる。また、上面が開放面１１と略同一面上となるように凹部２１の内部を埋める充填部５０が設けられている。これにより、凹部２１の内部への砂や埃、水等の液体の浸入及び滞留を防ぐことができる。これにより、凹部２１の反射機能の低減を抑制することができる。
【００３５】
また、第１実施形態の変形例では、上面である開放面１１を平滑とすることができるため、基体４０が凸凹の適さないような人や車両の通行するアスファルト舗装体等であっても、遮熱体１Ｂは交通の妨げとならない。なお、基体４０が人や車両の通行するアスファルト舗装体等である場合には、開放面１１及び充填部５０の表面は任意の摩擦力を確保するため、数ミリ単位のレベルでは凹凸を有しても良い。
【００３６】
次に、第２実施形態に係る遮熱体１Ｃについて、図面を参照しながら説明する。図７は、第２実施形態に係る遮熱体１Ｃの上面図である。図８は、図７のＶＩＩＩ‐ＶＩＩＩ線に沿った断面図である。図９は、第２実施形態に係る遮熱体が備える反射材の斜視図である。なお、上述した第１実施形態に係る遮熱体１Ａと同一部分には同一の符号を付して、相違する部分を主として説明する。
【００３７】
第２実施形態に係る遮熱体１Ｃは、第１実施形態に係る遮熱体１Ａの第２の層２０の凹部２１の代わりに、反射材６０としての複数の球体６０を含む第２の層（反射材層）２０Ａを備えている。第１の層１０Ａは、日射の入射光Ｌ１ａ、Ｌ２ａのうちの可視光線波長域の入射光Ｌ２ａの一部或いは全部を球体６０まで透過させる。第１の層１０Ａの、赤外線波長域の入射光Ｌ１ａに対する反射及び吸収の特徴は第１実施形態と同様であるので、ここでは説明を省略する。第１の層１０Ａの開放面１１Ａは、大きな凹凸のない平滑な面となっている。なお、第１実施形態の変形例と同様に、開放面１１Ａは任意の摩擦力を確保するため、数ミリ単位のレベルでは凹凸を有しても良い。
【００３８】
第２の層２０Ａは、反射材６０として第１の層１０Ａ内に散在する透明な複数の球体（以下、付番６０を付す）を備える。第２の層２０Ａでは、複数の球体６０が平面方向（図７の左右上下方向）に散在し、厚み方向（図８の上下方向）に１層で配置されている。第２の層２０Ａ（複数の球体６０）は、第１の層１０Ａを透過した入射光のうちの少なくとも可視光線波長域の入射光Ｌ２ａを第２の日射反射率で第１の層１０Ａの開放面１１Ａの開放側に収束（収斂）するように拡散反射する。複数の球体６０は、例えば、その少なくとも１部が透明となっている。なお、層というのは層状も含み、複数の球体６０の中心が厚み方向で揃っていないものも含む。
【００３９】
図９は、複数の球体６０の斜視図である。以下、複数の球体６０についてより詳細に説明するが、以下の構成に限定されない。
【００４０】
図９に示すように、複数の球体６０のそれぞれは、球状面の一部形状を有する本体部６１と、本体部６１に形成された断面円弧形の窪み表面（拡散反射面）６３を有する複数の窪み（凹部）６２とを備える。球体６０は、球体に窪みを付けた形状である。窪み表面６３には、光を反射させるための処理がなされている。例えば、窪み表面６３には、鏡のような反射材が固着或いは反射剤がコーティングされている。窪み表面６３（窪み６２）の断面円弧形は、可視光線波長域の反射光Ｌ２ｂが所定の離間した位置の範囲内で交差するように可視光線波長域の入射光Ｌ２ａを拡散反射するような形状に設定される。窪み表面６３の断面円弧形は、例えば、放物線状である。
【００４１】
断面円弧形の複数の窪み６２のそれぞれは、その窪み表面６３で、特定方向（例えば、球体６０の中心に向かう方向）からの入射光Ｌ１ａ、Ｌ２ａのうちの可視光線波長域の入射光Ｌ２ａを窪み表面６３から最大交点距離だけ離れた位置以内で１つの焦点で交差するように反射する。また、上記特定方向以外の方向（例えば、球体６０の中心に向かう方向に対し３０°や４５°といった角度だけ傾いた方向）からの入射光Ｌ１ａ、Ｌ２ａについては、少なくともその可視光線波長域の入射光Ｌ２ａを、窪み表面６３から最大交点距離だけ離れた位置以内で複数の交点で交差するように反射する。
【００４２】
図８では、第１の層１０Ａは、日射の入射光Ｌ１ａ、Ｌ２ａのうちの赤外線波長域の入射光Ｌ１ａの一部を複数の球体６０まで透過させる。この透過させた赤外線波長域の入射光Ｌ１ａの一部を複数の球体６０で反射させて、赤外線波長域の反射光Ｌ１ｃとして開放面１１Ａの開放側に反射している。なお、可視光線波長域の入射光Ｌ２ａのみ複数の球体６０に反射させるような構成でも良い。
【００４３】
第１実施形態に係る遮熱体１Ａと同様に、第２実施形態に係る遮熱体１Ｃにおいても、複数の球体６０の個々の分散反射については、可視光線波長域の反射光Ｌ２ｂは、開放面１１Ａから最大交点距離ＭＦＤだけ離れた位置以内で複数の交点Ｐ２で交差する。つまり、可視光線波長域の反射光Ｌ２ｂは、開放面１１Ａから最大交点距離ＭＦＤだけ離れた位置以内で収束（収斂）している。そして、可視光線波長域の反射光Ｌ２ｂは、複数の交点Ｐ２で交差した後、分散する。
【００４４】
複数の球体６０は、遮熱体１Ｃを基体４０に対して形成する（施工する）際に、第１の層１０中にばらまかれる。
【００４５】
第２実施形態では、上記第１実施形態及びその変形例と同様の効果を奏することができる。すなわち、第２実施形態では、可視光線波長域の入射光Ｌ２ａによる熱エネルギーの一部も第２の層２０Ａ（遮熱体１Ｃ）で吸収されずに大気中に拡散反射で放射される。これにより、赤外線波長域の入射光Ｌ１ａによるエネルギー入射による熱吸収、熱蓄積だけでなく、可視光線波長域の入射光Ｌ２ａによるエネルギー入射による熱吸収、熱蓄積をも抑えることができる。例えば、赤外線波長域の入射光Ｌ１ａによる熱吸収、熱蓄積を抑えることで、昼１０℃、夜２℃の路面温度を下げる効果がある場合、本実施形態に係る遮熱体１Ｃは、可視光線波長域の入射光Ｌ２ａによるエネルギー入射による熱吸収、熱蓄積をも抑えるので、昼夜の路面温度をさらに下げる効果がある。このため、基体４０に対するより高い遮熱を実現でき、基体４０の温度上昇の抑制効果が高く、ヒートアイランド現象を効果的に抑制することができる。
【００４６】
また、第２実施形態では、可視光線波長域の入射光Ｌ２ａを開放面１１Ａの開放側へ反射させる際、窪み表面６３（窪み６２）で分散反射させ、開放面１１Ａから最大交点距離ＭＦＤだけ離れた位置以内で収束させて、その後分散させている。このため、眩しさの原因となる恐れのある可視光線波長域の入射光Ｌ２ａを高い日射反射率（第２の日射反射率）で反射させても、その反射光Ｌ２ｂが人間の目に眩しくないように反射される。これにより、遮熱体１Ｃへのエネルギーの吸収、蓄積を抑えるために可視光線波長域の入射光Ｌ２ａを高い日射反射率（第２の日射反射率）で反射させても、反射光Ｌ２ｂによる眩しさを大幅に低減、抑制することができる。このため、眩しさが好まれない環境（例えば、基体４０が車道）であっても遮熱体１Ｃを問題なく設けることができる。
【００４７】
上記のように、第２実施形態によれば、赤外線波長域の入射光Ｌ１ａによるエネルギー入射だけでなく可視光線波長域の入射光Ｌ２ａによるエネルギー入射をも抑えると同時に可視光線波長域の入射光Ｌ２ａの反射光Ｌ２ｂによる眩しさを抑制することができる。
【００４８】
また、第２実施形態では、上面である開放面１１Ａを平滑とすることができるため、基体４０が凸凹の適さないような人や車両の通行するアスファルト舗装体等であっても、遮熱体１Ｃは交通の妨げとならない。また、第１の層１０Ａの開放面１１Ａは、一体の大きな凹凸のない平滑な面となっているので、遮熱体１Ｃの耐久性が高い。なお、基体４０が人や車両の通行するアスファルト舗装体等である場合には、開放面１１Ａの表面は任意の摩擦力を確保するため、数ミリ単位のレベルでは凹凸を有しても良い。
【００４９】
また、複数の球体６０を第１の層１０Ａ内に単にばらまいて分散させて混ぜることで遮熱体１Ｃを形成することができるので、形成や施工が容易で工期も短期とすることができ、またコストも削減することができる。
【００５０】
次に、第２実施形態の変形例に係る遮熱体１Ｄについて説明する。図１０は、第２実施形態の変形例に係る遮熱体１Ｄの図８相当の断面図である。なお、上述した第２実施形態に係る遮熱体１Ｃと同一部分には同一の符号を付して、相違する部分を主として説明する。
【００５１】
遮熱体１Ｄは、第２の層２０Ｂの反射材６０（複数の球体）が平面方向（図７の左右上下方向）に散在し、厚み方向（図１０の上下方向）に２層で配置されている点でのみ第２実施形態に係る遮熱体１Ｃと異なる。なお、複数の球体６０は、厚み方向（図１０の上下方向）に２層よりも多い複数の層で配置されていても良く、また、厚み方向（図１０の上下方向）で位置が重なって、つまり複数の球体６０の中心がずれて配置されていても良い。
【００５２】
第２実施形態の変形例では、第１実施形態及びその変形例、第２実施形態と同様の効果を奏することができる。また、複数の球体６０が厚み方向に２層で配置されているので、上側（開放面１１Ａ側）に配置された複数の球体６０の間を抜けて基体４０側に進入してきた入射光Ｌ１ａ、Ｌ２ａを下側（基体４０側）に配置された複数の球体６０で開放面１１Ａの開放側に反射することができる。これにより、入射光Ｌ１ａ、Ｌ２ａの反射率をより高めることができる。
【００５３】
次に、第２実施形態及びその変形例に係るに遮熱体１Ｃ、１Ｄが備える反射材６０の他の例を説明する。図１１Ａ〜図１６は、第２実施形態及びその変形例に係る遮熱体１Ｃ、１Ｄが備える反射材６０の他の第１〜６例の反射材６０Ａ〜６０Ｆを示す。
【００５４】
図１１Ａは、他の第１例の反射材６０Ａの斜視図である。図１１Ｂは、反射材６０Ａの上面図、図１１Ｃは、反射材６０Ａの側面図である。図１１Ｄは、図１１ＣのＸＩＤ−ＸＩＤ線に沿った断面図である。
【００５５】
図１１Ａ〜１１Ｄに示すように、反射材６０Ａは、細長い細片形状を有し、表面及び裏面が凹部７０Ａを有する。凹部７０Ａの面には、光を反射させるための処理がなされている。例えば、凹部７０Ａの面には、鏡のような反射材が固着或いは反射剤がコーティングされている。このような反射材６０Ａが複数個、第１の層１０Ａ中に散在し、第２の層（反射材層）２０Ａを形成する。反射材６０Ａは、凹部７０Ａで図１１Ｂ、１１Ｃの上下方向からの入射光Ｌ１ａ、Ｌ２ａのうちの少なくとも可視光線波長域の入射光Ｌ２ａを１つの焦点で交差するように反射する。また、反射材６０Ａは、凹部７０Ａで図１１Ｂ、１１Ｃの斜め方向からの入射光Ｌ１ａ、Ｌ２ａのうちの少なくとも可視光線波長域の入射光Ｌ２ａを凹部７０Ａから最大交点距離だけ離れた位置以内で複数の交点で交差するように反射する。
【００５６】
反射材６０Ａは、遮熱体１Ｃ、１Ｄを基体４０に対して形成する（施工する）際に、第１の層１０Ａ中にばらまかれる。このため、遮熱体１Ｃ、１Ｄは、施工が容易であり、時間もコストも削減することができる。また、反射材６０Ａは、比較的その表面及び裏面のいずれかの凹部７０Ａが開放面１１Ａ側を向くように配置される。このため、より多くの入射光Ｌ２ａを収束させるように拡散反射することができる。
【００５７】
図１２Ａは、他の第２例の反射材６０Ｂの斜視図である。図１２Ｂは、反射材６０Ｂの上面図、図１２Ｃは、反射材６０Ｂの側面図である。図１２Ｄは、図１２ＣのＸＩＩＤ−ＸＩＩＤ線に沿った断面図である。
【００５８】
図１２Ａ〜１２Ｄに示すように、反射材６０Ｂは、上下方向に延びる円柱形状を有し、表面及び裏面が凹部７０Ｂを有する。凹部７０Ｂの面には、光を反射させるための処理がなされている。例えば、凹部７０Ｂの面には、鏡のような反射材が固着或いは反射剤がコーティングされている。このような反射材６０Ｂが複数個、第１の層１０Ａ中に散在し、第２実施形態の第２の層（反射材層）２０Ａを形成する。反射材６０Ｂは、凹部７０Ｂで図１２Ｂ、１２Ｃの上下方向からの入射光Ｌ１ａ、Ｌ２ａのうちの少なくとも可視光線波長域の入射光Ｌ２ａを１つの焦点で交差するように反射する。また、反射材６０Ｂは、凹部７０Ｂで図１２Ｂ、１２Ｃの斜め方向からの入射光Ｌ１ａ、Ｌ２ａのうちの少なくとも可視光線波長域の入射光Ｌ２ａを凹部７０Ｂから最大交点距離だけ離れた位置以内で複数の交点で交差するように反射する。
【００５９】
反射材６０Ｂは、遮熱体１Ｃ、１Ｄを基体４０に対して設ける（施工する）際に、第１の層１０Ａ中にばらまかれる。このため、基体４０が道路等である場合には、遮熱体１Ｃ、１Ｄの施工が容易であり、時間もコストも削減することができる。また、反射材６０Ｂは、比較的その表面及び裏面のいずれかの凹部７０Ｂが開放面１１Ａ側を向くように配置される。このため、より多くの入射光Ｌ２ａを収束させるように拡散反射することができる。
【００６０】
図１３Ａは、他の第３例の反射材６０Ｃの斜視図である。図１３Ｂは、反射材６０Ｃの上面図、図１３Ｃは、反射材６０Ｃの側面図である。図１３Ｄは、図１３ＣのＸＩＩＩＤ−ＸＩＩＩＤ線に沿った断面図である。
【００６１】
図１３Ａ〜１３Ｄに示すように、反射材６０Ｃは、球を扁平にした形状を有し、扁平曲面側の曲面状の表面７０Ｃ１及び曲面状の内面である凹部７０Ｃ２を有する。反射材６０Ｃは透明であるが、一方の凹部７０Ｃ２の面には、表面７０Ｃ１を通して反射材６０Ｃの内部に進入した光を反射させるための処理がなされている。換言すれば、反射材６０Ｃの下半分が反射面となっている。例えば、凹部７０Ｃ２の面に対応する片側の表面７０Ｃ１には、鏡のような反射材が固着或いは反射剤がコーティングされている。このような反射材６０Ｃが複数個、第１の層１０Ａ中に散在し、第２実施形態の第２の層（反射材層）２０Ａを形成する。反射材６０Ｃは、凹部７０Ｃ２で図１３Ｃ、１３Ｄの上方向からの入射光Ｌ１ａ、Ｌ２ａのうちの少なくとも可視光線波長域の入射光Ｌ２ａを１つの焦点で交差するように反射する。また、反射材６０Ｃは、凹部７０Ｃ２で図１３Ｂ、１３Ｃの斜め方向からの入射光Ｌ１ａ、Ｌ２ａのうちの少なくとも可視光線波長域の入射光Ｌ２ａを凹部７０Ｃ２から最大交点距離だけ離れた位置以内で複数の交点で交差するように反射する。
【００６２】
反射材６０Ｃは、遮熱体１Ｃ、１Ｄを基体４０に対して設ける（施工する）際に、第１の層１０Ａ中にばらまかれる。このため、基体４０が道路等である場合には、遮熱体１Ｃ、１Ｄの施工が容易であり、時間もコストも削減することができる。また、反射材６０Ｃは、その形状から、比較的その凹部７０Ｃ２が開放面１１Ａ側を向くように配置される。このため、より多くの入射光Ｌ２ａを収束させるように拡散反射することができる。
【００６３】
図１４Ａは、他の第４例の反射材６０Ｄの斜視図である。図１４Ｂは、反射材６０Ｄの図１３相当の断面図である。図１４Ｃは、反射材６０Ｄを備える遮熱体１Ｃの図８相当の断面図である。
【００６４】
反射材６０Ｄは、複数の反射体８０及びアルミニウムなどの反射シート８１を備える。図１４Ａ〜１４Ｃに示すように、反射体８０のそれぞれは、反射材６０Ｃと同様の形状、すなわち、球を扁平にした形状を有し、曲面状の表面８０ａ及び曲面状の内面である凹部８０ｂを有する。反射体８０は透明であるが、反射材６０Ｃとは異なり、表面８０ａ及び凹部８０ｂのいずれの面にも、光を反射させるための処理はなされていない。このような反射体８０が複数個、第１の層１０Ａ中に散在し、且つ、反射シート８１が複数個の反射体８０の下に配置されて、第２実施形態の第２の層（反射材層）２０Ａを形成する。反射材６０Ｄは、反射体８０と反射シート８１との協働により、図１４Ｃの上方向からの入射光Ｌ１ａ、Ｌ２ａのうちの少なくとも可視光線波長域の入射光Ｌ２ａを１つの焦点で交差するように反射する。また、反射材６０Ｄは、反射体８０と反射シート８１との協働により、図１４Ｃの斜め上方向からの入射光Ｌ１ａ、Ｌ２ａのうちの少なくとも可視光線波長域の入射光Ｌ２ａを反射体８０及び反射シート８１から最大交点距離だけ離れた位置以内で複数の交点で交差するように反射する。
【００６５】
反射材６０Ｄは、遮熱体１Ｃ、１Ｄを基体４０に対して設ける（施工する）際に、反射シート８１を敷いた後に反射体８０が第１の層１０Ａ中にばらまかれる。このため、基体４０が道路等である場合には、遮熱体１Ｃ、１Ｄの施工が容易であり、時間もコストも削減することができる。また、反射材６０Ｄは、比較的その凹部８０ｂが開放面１１Ａ側を向くように配置される。このため、より多くの入射光Ｌ２ａを収束させるように拡散反射することができる。
【００６６】
図１５は、他の第５例の反射材６０Ｅの側面図である。図１５に示すように、反射材６０Ｅは、楕円形状を有し、側面視で上下左右に窪み９０を有する。また、反射材６０Ｅは、透明であり、外方に向く凹部（凹面）９４を有する例えば金属製の反射鏡９２を内部に備える。反射鏡９２は、各窪み９０に対応して設けられており、凹部９４は、対応する窪み９０と同方向に開いている。各凹部９４は、反射材６０Ｅの表面を通して内部に進入した光を反射する。このような反射材６０Ｅが複数個、第１の層１０Ａ中に散在し、第２実施形態の第２の層（反射材層）２０Ａを形成する。反射材６０Ｅは、凹部９４で図１５の上下左右方向からの入射光Ｌ１ａ、Ｌ２ａのうちの少なくとも可視光線波長域の入射光Ｌ２ａをそれぞれ１つの焦点で交差するように反射する。また、反射材６０Ｅは、各凹部９４で図１５の斜め方向からの入射光Ｌ１ａ、Ｌ２ａのうちの少なくとも可視光線波長域の入射光Ｌ２ａを各凹部９４から最大交点距離だけ離れた位置以内で複数の交点で交差するように反射する。なお、窪み９０及び反射鏡９２（凹部９４）の数は４つに限定されず、３以下であっても良いし、５以上であっても良い。
【００６７】
反射材６０Ｅは、遮熱体１Ｃ、１Ｄを基体４０に対して設ける（施工する）際に、第１の層１０Ａ中にばらまかれる。このため、基体４０が道路等である場合には、遮熱体１Ｃ、１Ｄの施工が容易であり、時間もコストも削減することができる。また、反射材６０Ｅは、その形状から、比較的その凹部９４が開放面１１Ａ側を向くように配置される。また、反射材６０Ｅは、凹部９４が複数設けられているため、何れかの凹部９４が開放面１１Ａ側を向く可能性が高くなっている。このため、より多くの入射光Ｌ２ａを収束させるように拡散反射することができる。
【００６８】
図１６は、他の第６例の反射材６０Ｆの側面図である。図１６に示すように、反射材６０Ｆは、球状であり、側面視で上下左右に窪み９６を有する。また、反射材６０Ｆは、透明であり、外方に向く凹部（凹面）９８を有する例えば金属製の反射鏡９７を内部に備える。反射鏡９７は、各窪み９６に対応して設けられており、凹部９８は、対応する窪み９６と同方向に開いている。各凹部９８は、反射材６０Ｆの表面を通して内部に進入した光を反射する。このような反射材６０Ｆが複数個、第１の層１０Ａ中に散在し、第２実施形態の第２の層（反射材層）２０Ａを形成する。反射材６０Ｆは、凹部９８で図１６の上下左右方向からの入射光Ｌ１ａ、Ｌ２ａのうちの少なくとも可視光線波長域の入射光Ｌ２ａをそれぞれ１つの焦点で交差するように反射する。また、反射材６０Ｆは、各凹部９４で図１６の斜め方向からの入射光Ｌ１ａ、Ｌ２ａのうちの少なくとも可視光線波長域の入射光Ｌ２ａを各凹部９８から最大交点距離だけ離れた位置以内で複数の交点で交差するように反射する。なお、窪み９６及び反射鏡９７（凹部９８）の数は４つに限定されず、３以下であっても良いし、５以上であっても良い。
【００６９】
反射材６０Ｆは、遮熱体１Ｃ、１Ｄを基体４０に対して設ける（施工する）際に、第１の層１０Ａ中にばらまかれる。このため、基体４０が道路等である場合には、遮熱体１Ｃ、１Ｄの施工が容易であり、時間もコストも削減することができる。また、反射材６０Ｆは、凹部９８が複数設けられているため、何れかの凹部９８が開放面１１Ａ側を向く可能性が高くなっている。このため、より多くの入射光Ｌ２ａを収束させるように拡散反射することができる。
【００７０】
上記各実施形態は、特に図示しないが、道路や壁面等以外にも、衣服等生活の身の回りの様々な分野に適用することができる。
【００７１】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７２】
本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００７３】
１Ａ、１Ｂ、１Ｃ、１Ｄ…遮熱体
１０、１０Ａ…第１の層
１１、１１Ａ…開放面
１２…表層部
２０、２０Ａ、２０Ｂ…第２の層（反射材層）
２１…反射材（凹部）
２３…凹部表面（拡散反射面）
３０…バインダ
４０…基体
５０…充填部
６０、６０Ａ、６０Ｂ、６０Ｃ、６０Ｄ、６０Ｅ、６０Ｆ…反射材
６１…本体部
６２…窪み（凹部）
６３…窪み表面（拡散反射面）
７０Ａ、７０Ｂ…凹部
７０Ｃ１…表面
７０Ｃ２…凹部
８０…反射体
８０ａ…表面
８０ｂ…凹部
８１…反射シート
９０、９６…窪み
９２、９７…反射鏡
９４、９８…凹部（凹面）
Ｌ１ａ…赤外線波長領域の入射光
Ｌ１ｂ、Ｌ１ｃ…赤外線波長領域の反射光
Ｌ２ａ…可視光線波長領域の入射光
Ｌ２ｂ…可視光線波長領域の反射光
Ｄ…凹部の深さ
Ｗ…凹部の直径
Ｐ１…焦点
Ｐ２…交点
ＦＤ…焦点距離
ＭＦＤ…最大交点距離
【図１】
2015155636.tif 000003
【図２】
2015155636.tif 000004
【図３】
2015155636.tif 000005
【図４】
2015155636.tif 000006
【図５】
2015155636.tif 000007
【図６】
2015155636.tif 000008
【図７】
2015155636.tif 000009
【図８】
2015155636.tif 000010
【図９】
2015155636.tif 000011
【図１０】
2015155636.tif 000012
【図１１Ａ】
2015155636.tif 000013
【図１１Ｂ】
2015155636.tif 000014
【図１１Ｃ】
2015155636.tif 000015
【図１１Ｄ】
2015155636.tif 000016
【図１２Ａ】
2015155636.tif 000017
【図１２Ｂ】
2015155636.tif 000018
【図１２Ｃ】
2015155636.tif 000019
【図１２Ｄ】
2015155636.tif 000020
【図１３Ａ】
2015155636.tif 000021
【図１３Ｂ】
2015155636.tif 000022
【図１３Ｃ】
2015155636.tif 000023
【図１３Ｄ】
2015155636.tif 000024
【図１４Ａ】
2015155636.tif 000025
【図１４Ｂ】
2015155636.tif 000026
【図１４Ｃ】
2015155636.tif 000027
【図１５】
2015155636.tif 000028
【図１６】
2015155636.tif 000029